(57)【特許請求の範囲】
【請求項１】
複数の発光素子を用いた一定幅を有する細長い面発光表示器において、
当該面発光表示器は、透明で扁平な直方体から成る導光板と当該導光板の扁平な一側に重ね合わせる基板とから構成され、
前記導光板は、扁平な両面の各周縁を形成する端面は内側に反射する反射面で被われ、このうちの長手方向の一端面が斜めに設けられ、また、前記基板を重ねていない扁平な面を正面として正面側から前記斜面を成す一端面が見えるように構成し、前記導光板の、前記基板を重ねる扁平な側面を裏面とし、前記斜面に対向した当該裏面の箇所に、長手方向に沿って凹溝を設け、
前記基板は、前記導光板と重ね合わせる面を反射面とし、当該反射面の長手方向の一側縁に沿って間隔をあけて複数の発光素子を設け、当該基板の複数の発光素子を前記導光板の凹溝に嵌め入れて導光板と基板を重ねて固定し，
前記複数の発光素子の光が前記導光板及び基板の複数の反射面を通して導光板の正面全面の表示面から発光する構成としたことを特徴とする、発光素子を用いた細長い面発光表示器。
【請求項２】
前記一体となった導光板及び基板の長手方向に直角な上下端縁を把持した支持フレームを有することを特徴とする、請求項１に記載の発光素子を用いた細長い面発光表示器。
【請求項３】
前記面発光表示器を、長手方向に直角な端縁を突き合わせて、直線上に並べて設けたことを特徴とする、請求項２に記載の発光素子を用いた細長い面発光表示器。
【発明の詳細な説明】
【技術分野】
【０００１】
この発明は、駅のプラットホームの屋根の軒先に設置された列車の車体の色を表示するラインカラー表示器等の細長い面発光表示器を、少ない数の発光素子を用いて均一に発光する面発光表示器に関するものである。
【背景技術】
【０００２】
面発光表示器は、面発光の均一性があまり良好でないため、長尺な直線状の面発光表示器を作ることは困難であった。特許文献１に示すものは、均一性に優れた長尺の発光面を有する面発光表示器として開発された。
【０００３】
この特許文献１のものは、透明で長尺な中実プラスチク体の長手方向の両終端面付近に、中実プラスチック体の内部に向けて光を投光するＬＥＤの発光素子を設け、同プラスチック体の底面に乱反射面を形成し、同プラスチック体の側面の全周及び内部中間に反射面を設け、当該乱反射面を鋸歯状に凹凸させた、面発光表示器である。
【先行技術文献】
【特許文献】
【０００４】
【特許文献１】特許第２５１８５７９号公報
【発明の開示】
【発明が解決しようとする課題】
【０００５】
この特許文献１のものは、均一性に優れた長尺の発光面を有する面発光表示器を得る目的であるが、鋸歯状に凹凸させた乱反射面を長尺なプラスチック体の底面全面に形成しなければならず、製造に手間やコストがかかるものである。
【０００６】
その上、透明で長尺な中実プラスチック体の長手方向の終端面に、当該中実プラスチック体の内部に向けて光を投光するＬＥＤの発光素子を設けて長尺なプラスチック体の両終端から投光する構成であるため、長尺といっても長さに限度がある。あまり長くては、両終端の発光素子の光がとどかず、均一な発光面が形成されない。
【０００７】
そこで、この発明は、できる限りＬＥＤ等の発光素子の数を抑えて、なおかつ一定幅を有する細長の発光面を均一に発光させることができる面発光表示器を提供することを目的としたものである。
【課題を解決するための手段】
【０００８】
請求項１の発明は、複数のＬＥＤ等の発光素子を用いた一定幅を有する細長い面発光表示器において、当該面発光表示器は、透明で扁平な直方体から成る導光板と当該導光板の扁平な一側に重ね合わせる基板とから構成され、前記導光板は、扁平な両面の各周縁を形成する端面は内側に反射する反射面で被われ、このうちの長手方向の一端面が斜めに設けられ、また、前記基板を重ねていない扁平な面を正面として正面側から前記斜面を成す一端面が見えるように構成し、前記導光板の、前記基板を重ねる扁平な側面を裏面とし、前記斜面に対向した当該裏面の箇所に、長手方向に沿って凹溝を設け、前記基板は、前記導光板と重ね合わせる面を反射面とし、当該反射面の長手方向の一側縁に沿って間隔をあけて複数の発光素子を設け、当該基板の複数の発光素子を前記導光板の凹溝に嵌め入れて導光板と基板を重ねて固定し，前記複数の発光素子の光が前記導光板及び基板の複数の反射面を通して導光板の正面全面の表示面から発光する構成とした、発光素子を用いた細長い面発光表示器とした。
【０００９】
また、請求項２の発明は、前記一体となった導光板及び基板の長手方向に直角な上下端縁を把持した支持フレームを有する、請求項１に記載の発光素子を用いた細長い面発光表示器とした。
【００１０】
また、請求項３の発明は、前記面発光表示器を、長手方向に直角な端縁を突き合わせて、直線上に並べて設けた、請求項２に記載の発光素子を用いた細長い面発光表示器とした。
【発明の効果】
【００１１】
請求項１の発明の面発光表示器によれば、扁平な直方体形状の導光板の傾斜した斜面の反射面に対向した位置に複数の発光素子を配置したため、導光板の扁平な側面の周囲及び基板に設けた反射面等により、前記各発光素子から発せられた光が反射し、導光板の正面に均一に拡散反射し、発光表示する。従って、基板の一端縁に沿って一列に設けた数少ない発光素子だけで、長手方向と直交する方向に一定幅を有する導光板の表示面、即ち正面全面に均一に発光させることができる。
【００１２】
そして、前記導光板は一定の均一な光が発光することにより表示器として使用できるが、さらに、前記導光板の正面に文字や図柄を予め描いておけば、これらの文字や絵柄が後方からＬＥＤの光で照射されて表示される。また、前記発光素子にフルカラーＬＥＤを用いれば、種々のカラーの発光表示が可能である。
【００１３】
また、請求項２の発明によれば、前記一体となった導光板及び基板から成る面発光表示器を、その長手方向に直角な上下端縁を把持する支持フレームにより支持することにより、導光板の正面全面が表示面となり、極めて効率よく表示することができる。
【００１４】
また、請求項３の発明によれば、当該面発光表示器を長手方向に直角な端縁を突き合わせて直線上に多数並べて設ければ、各表示器は上下端縁を支持フレームで把持しているだけなので、極めて長い一体な表示器として使用することができる。
【図面の簡単な説明】
【００１５】
【図１】この発明の実施の形態例１の面発光表示器を照明器具とともに取り付けた断面図である。
【図２】この発明の実施の形態例１の支持フレームを付けた面発光表示器の側面断面図である。
【図３】この発明の実施の形態例１の支持フレームを付けた面発光表示器の正面図である。
【図４】この発明の実施の形態例１の面発光表示器の側面図である。
【図５】この発明の実施の形態例１の面発光表示器の断面図である。
【図６】この発明の実施の形態例１の面発光表示器の分解側面図である。
【図７】この発明の実施の形態例１の面発光表示器の基板の正面図である。
【図８】この発明の実施の形態例１の面発光表示器の導光板の正面図である。
【図９】この発明の実施の形態例１の面発光表示器の導光板の背面図である。
【図１０】この発明の実施の形態例１の面発光表示器をホームの車体カラー表示器に用いた側面図である。
【図１１】この発明の実施の形態例１の面発光表示器をホームの車体カラー表示器に用いた正面図である。
【発明を実施するための形態】
【００１６】
（実施の形態例１）
以下、この発明の実施の形態例１を図に基づいて説明する。図１はこの発明の面発光表示器１を照明器具２に取り付けた断面図である。
【００１７】
前記面発光表示器１及び照明器具２は、下面が開口する断面角筒型で一定の長さを有する支持金具３により支持されている。そして、前記照明器具２は、一定長を有する断面略かまぼこ型で、その下面が開口し、当該下面開口部に対向して両端が凹湾曲した反射板２ａが設けられ、その中央部に、前記開口部に向けて複数のＬＥＤ４が設けられ、前記開口部を光透過性の拡散板２ｂで塞いでいる。この照明器具２では前記拡散板２ｂが発光面となっている。また、この照明器具２の天板部両側から係止突片２ｃを突出させている。
【００１８】
そして、前記照明器具２は前記支持金具３の下面の開口に嵌められ、前記支持金具３の下面の開口部の両側に設けられた立ち上がり縁３ａに、前記係止突片２ｃを係止させて支持されている。さらに、支持金具３の両側面に設けたボルト３ｂを前記立ち上がり縁３ａと前記係止突片２ｃに貫通螺着させている。これにより前記照明器具２は支持金具３に取り付けられている。
【００１９】
また、前記発光表示器１は、多数のＬＥＤ５を有する基板６と透明な扁平な直方体形状の導光板７とを重ね合わせて成り、これらの一体となった基板６と導光板７の上下端縁及び背面を長手方向に伸びた表示器支持フレーム８によって把持されている。当該表示器支持フレーム８の下端縁が前記照明器具２の一端に係止され、また表示器支持フレーム８の上端縁に支持補助板９の一端が係合支持され、当該支持補助板９の他端が前記支持金具３の一側に支持されている。従って、面発光表示器１は、図１に示すように、斜め下方に発光表示される。
【００２０】
次に、前記面発光表示器１の具体的構成について、図２〜図９に基づいて説明する。
【００２１】
当該面発光表示器１は、前記導光板７と当該導光板７の扁平な一側に重ね合わせる基板６とから構成され、前記導光板７は、扁平な両側面７ａ、７ｂの各周縁を形成する端面７ｃは内側に反射する反射面で被われ、このうちの長手方向の一端面７ｃが４５度で斜めに設けられた斜面７ｄとなっている。また、前記基板を重ねていない扁平な側面７ａを正面として正面側から前記斜面７ｄを成す一端面が見えるように構成している。
【００２２】
また、前記導光板７の、前記基板６を重ねる扁平な側面７ｂを裏面とし、前記斜面７ｄに対向した当該裏面の箇所に、長手方向に沿って凹溝１０を設けている。また、前記基板６は、前記導光板７と重ね合わせる面を反射面とし、当該反射面の長手方向の一側縁に沿って前記ＬＥＤ５を間隔をあけて多数設けている。そして、当該基板６の多数のＬＥＤ５を前記導光板７の凹溝１０に嵌め入れて導光板７と基板６を重ねて接着剤で固定し，前記一列に並んだ多数のＬＥＤ５の光が導光板７を通って複数の反射面に当たって反射し、導光板７の正面の側面７ａから発光する構成となっている。
【００２３】
そして、前記面発光表示器１及び照明器具２の設置箇所は、図１０及び図１１に示すように、駅のホーム１１の端縁部の上方の屋根１２から下げたワイヤー１３に前記支持金具３を吊り下げて取り付けられている。また、これらの面発光表示器１及び照明器具２は、夫々用意された多数個を横に並べ、前記屋根１２の軒先に沿って略一直線状にホームの端から端まで設けられている。従って、乗客は各ホーム１１の中部に立って、入線する電車又は列車の上部方向を見れば、前記直線状に並べられた面発光表示器１が目に入ることになる。
【００２４】
この例では、前記面発光表示器１は、次に当該ホーム１１に入線してくる電車又は列車の色に合わせた色が表示され、乗客は、予め当該面発光表示器が表示する色によって入線してくる電車や列車の種類や行き先が分かるようになっている。
【００２５】
なお、上記実施の形態例１では、当該面発光表示器１の発光素子をＬＥＤ５としたが、ＬＥＤに限らず、適宜の発光素子を用いることができる。
【符号の説明】
【００２６】
１      面発光表示器              
２       照明器具                ２ａ    反射板              
２ｂ    拡散板                   ２ｃ    係止突片                    
３      支持金具                 ３ａ    立ち上がり縁
３ｂ    ボルト                  
４      ＬＥＤ                   ５      ＬＥＤ          
６      基板                    
７      導光板                   ７ａ    側板
７ｂ    側板                     ７ｃ    端面
７ｄ    斜面    
８      表示器支持フレーム       ９    支持補助板
１０    凹溝
１１    ホーム                   １２    屋根
１３    ワイヤー                    
【図１】
0006532776.tif 000002
【図２】
0006532776.tif 000003
【図３】
0006532776.tif 000004
【図４】
0006532776.tif 000005
【図５】
0006532776.tif 000006
【図６】
0006532776.tif 000007
【図７】
0006532776.tif 000008
【図８】
0006532776.tif 000009
【図９】
0006532776.tif 000010
【図１０】
0006532776.tif 000011
【図１１】
0006532776.tif 000012